(57)【要約】      （修正有）【課題】現行のスピンニングリールでは釣糸の放出時釣竿を持っている方の手の指で釣糸をつかむ事は、アームローラの位置が回転しているので困難であり又、釣竿をあおった時、ストッパーが外れている場合、アームが反対方向に回転して手に当たるなど危険を伴うため、どんな時でも釣糸をつかむことができるスピニングリールを提供する。【解決手段】スピニングリールのスプールとアームの機能を反対にした構成にする。これにより、スプール４を回転し釣糸８を巻き取り、アームローラ６を釣竿１側で上下の移動動作とする事によって釣糸８を放出する時、釣竿１を持ってる手の指で釣糸８をにぎる事ができ、釣竿１を持っている手の指でアーム反転レバー１７を取り扱うか、反対の指でアーム５を反転する事で、釣糸１を放出出来る。又アーム５が回転しないので危険を取り除ける。【選択図】図１
2014236740.tif 000002
【特許請求の範囲】
【請求項１】
釣竿とセットした時ハンドルを回すとアームローラが釣竿側で上下移動動作をし、スプールを回転することで、釣糸を巻き取ることが出来る事を特徴とするスピニングリール。
【請求項２】
前記スピニングリールは釣糸を出す時、アームを釣糸を持っている手又は反対側の手どちらでも操作できる様に、アームを反転させるためのアーム反転レバーを有する事を特徴とする請求項１に記載のスピニングリール。
【請求項３】
前記スピニングリールは電動モーターを併用する事で、釣竿を持っている片手で釣糸の出し入れ操作が出来る事を特徴とする請求項１又は請求項２に記載のスピニングリール。
【発明の詳細な説明】
【技術分野】
【０００１】  本発明は、どんな時でも釣竿を持っている手で釣糸をつかむことが出来るスピニングリールに関するものである。
【背景技術】
【０００２】  現在のスピニングリールは、釣糸の放出時、アームローラの停止位置が一定でないので、釣竿を持っている手の指では釣糸をつかむ事ができない。【０００３】  現在のスピニングリールは釣竿を後ろにあおった時、アームストッパーが外れていた場合、アームが反対方向に回転し手に当たり危険だった。
【先行技術文献】
【特許文献】
【０００４】
【特許文献１】  特開２０１０−１３６７１８
【発明の概要】
【発明が解決しようとする課題】
【０００５】  現行スピニングリールは釣糸の放出時アームローラの停止位置が一定でなく、釣竿を持っている反対側の手の指で釣糸をつかみ、釣竿を持っている手の指に渡して、アームを反転して釣糸を放出している。
【課題を解決するための手段】
【０００６】  本発明はアームローラがいつでも釣竿側に位置する様、釣竿側の反対側に上下移動軸を設け、アームローラの取付てある上下移動枠が上下移動軸を支点に釣竿側で上下の移動動作をし、釣糸の巻き取りはスプールの回転で行う。
【発明の効果】
【０００７】  本発明は釣糸の放出時いつでも釣竿を持っている手の指で釣糸をつかむ事ができ、アーム反転レバーを使用すれば片手だけで釣糸を放出する事ができる、又アームが回転しないので危険がなくなった。
【図面の簡単な説明】
【０００８】
【図１】  本発明の取付斜向図。
【図２】  本発明スピニングリールを釣竿側から見た斜向図。
【図３】  本発明スピニングリールの釣竿取付時、アームローラ上下移動時下側の状態の右側側面図。
【図４】  本発明スピニングリールの釣竿取付時、アームローラ上下移動時上側の状態の右側側面図。
【図５】  本発明スピニングリールの釣竿先端部から見た図。
【図６】  本発明スピニングリールの釣竿側から下側に向けての断面図。
【図７】  本発明スピニングリールのアーム受の内部構造図［図５参照Ａ］。
【図８】  本発明スピニングリールのアーム受の内部構造図［図５参照Ｂ］。
【発明を実施するための形態】
【０００９】  スピニングリールにおいて釣糸を放出する場合、釣竿を持っている側の手の指で、いつでも釣糸をつかむことが出来る様、釣竿側でアームローラが上下移動動作をし、釣糸をつかむと釣竿を持っている手の指でアームレバーを引きアームを反転させて、釣糸を放出する。又釣糸の巻き取りは、釣竿を持っている手の指もしくは反対の手でアームをもとに戻しハンドルを廻して釣糸を巻き取る。又電動リールを併用すれば、釣糸の放出、巻き取りは片手で行うことができる。
【００１０】  以下、本発明の実施の形態を図１〜図８に基づいて説明する。
【００１１】  図１は同リール取付斜向図でハンドル３を廻すと、釣竿側でアームローラ６が上下移動軸１１を支点にして上下移動動作をし、スプール４が回転して釣糸を巻き取る事ができる。釣糸の放出は釣竿側にアームローラがいつでもあるので、釣竿を持っている手の指で釣糸８をつかみ、釣竿１を持っている別な指でアーム反転レバー１７を引き、アーム５を反転させて釣糸８を放出する。
【００１２】  図２は釣竿１から見た同リールの上側を見た図で、ハンドル３の回転で上下移動枠９が上下移動し、アーム５、アームローラ６も上下移動動作をする。
【００１３】  図３はハンドル３を回転した場合に、スプール４は反時計回りに回転しアームローラ６がスプール４の下側に位置している時である。
【００１４】  図４は図３の動作の続きで、ハンドル３を回転する事により上下移動軸１１を支点に上下移動棒１０が上側に動き、上下移動枠９が上側に動き、アーム５が上側に移動しアームローラ６に導かれて釣糸８はスプール４に巻き取る事が出来る。
【００１５】  図５は上下移動枠９の構造で上下移動棒１０の上下の移動によって上下移動枠９、アーム５、アームローラ６が、図３・図４の上下移動軸１１を支点に上下移動動作を行なう。
【００１６】  図６は釣竿側から下側に向けての断面図で本体枠２に取り付けたスプール軸１２は、ハンドル３の回転によりクロスギア１３が回転し、ドラッグつまみ７によりドラッグ調整をし、スプール４が反時計回りに回転する。
【００１７】  図７は図５・Ａから見たアーム受１９の内部構造で図１のアーム反転レバー１７を取り扱う事で、アーム反転リード線１６が下側に引かれ回転カム１５が回転しアーム５を反転する。又アーム５は指で直接反転する事も出来る。
【００１８】  図８は図５・Ｂから見たアーム受け１９の内部構造でアーム反転リード線１６が上下移動枠９の上下移動に支障されない様、上下移動軸１１のセンターに位置する。
【産業上の利用性能】
【００１９】  １．図リールは釣竿を持っている側の手の指でいつでも釣糸をつかむ事が出来る。
２．アームの反転は釣竿を持っていない方の手の指で反転さすか、釣竿を持っている手の指で反転レバーを引きアームを反転さすことが出来る。
３．今迄は釣竿の巻き上げ時アームが回転していて、釣竿を後にあおった時ストッパーが外れて、アームが反対方向に回転して手に当たり危険だったが、スプールを回転さすことで危険が取り除けた。
４．同リールは電動モーター併用使用すれば片手の不自由な人達にも魚釣りが出来る。
【符号の説明】
【００２０】１    釣竿
２    本体枠
３    ハンドル
４    スプール
５    アーム
６    アームローラ
７    ドラッグつまみ
８    釣糸
９    上下移動枠
１０  上下移動棒
１１  上下移動軸
１２  スプール軸
１３  クロスギア
１４  ストッパーギア
１５  回転カム
１６  アーム反転リード線
１７  アーム反転レバー
１８  アーム枠
１９  アーム受
【図１】
2014236740.tif 000003
【図２】
2014236740.tif 000004
【図３】
2014236740.tif 000005
【図４】
2014236740.tif 000006
【図５】
2014236740.tif 000007
【図６】
2014236740.tif 000008
【図７】
2014236740.tif 000009
【図８】
2014236740.tif 000010